(57)【要約】【課題】引戸の走行時、床側のガイド突起と扉側の走行溝の位置がずれていても、そのずれを吸収して引戸の走行を案内する引戸ガイド装置を提供する。【解決手段】引戸ガイド装置Ｇは、引戸１０の走行時、磁力により突出するガイド突起１５が、走行溝２０の両端溝部２０ａから溝幅方向外側にずれた部位にある突起誘導部５５のフランジ５５ａに当接すると、ガイド突起を、引戸の走行に従い、フランジに沿って突起ガイド部５０へと導いて、その突起ガイド部の傾斜ガイド５２により案内して走行溝の両端溝部に係合することにより、吊持状態の引戸の下端をガイド突起の位置に誘導して床側ガイドのガイド突起と扉側ガイドの走行溝のずれを吸収してから、ガイド突起をガイドレール４０内の走行溝の中間溝部２０ｂに係合し、引戸を開閉方向へ直進するように案内する構成になっている。【選択図】          図１
2014043693.tif 000002
【特許請求の範囲】
【請求項１】
引戸を開閉方向に走行自在に吊持する一方、引戸が走行する軌道下の床面に磁力により出没自在に間隔をおいて挿設した床側ガイドのガイド突起を、引戸の下端面に形成された扉側ガイドの走行溝に突出状態で係合して引戸の走行を案内する引戸ガイド装置において、
前記扉側ガイドは、前記走行溝の両端溝部に突出状態で前記ガイド突起が係合すると、そのまま前記両端溝部間の中間溝部へと前記ガイド突起を案内する突起ガイド部を備えると共に、突出状態の前記ガイド突起が前記突起ガイド部の手前で前記両端溝部から溝幅方向外側にずれた部位に当接すると、前記ガイド突起を前記突起ガイド部へと導く突起誘導部を、前記突起ガイド部に連設してなることを特徴とする、引戸ガイド装置。
【請求項２】
前記突起ガイド部には、前記走行溝の両端溝部において、向い合う対向溝縁が前記中間溝部に向かうに従い次第に溝幅が狭まるように斜めになった傾斜ガイドを設け、前記突起誘導部には、前記両端溝部の対向溝縁に溝幅方向外向きに鍔状に延びるフランジを設け、該フランジを前記傾斜ガイドとの間に該傾斜ガイドより低い段差を付けて形成してなることを特徴とする、請求項１に記載の引戸ガイド装置。
【請求項３】
前記扉側ガイドは、磁力により前記ガイド突起を突出させる一対の磁着手段と、それら磁着手段に両端を連結し、突出状態の前記ガイド突起が係止する係止片を長さ方向に設け、内部に前記走行溝の中間溝部を形成したガイドレールとを備え、前記磁着手段は、対向側板部間に前記走行溝の両端溝部を形成し、底部に昇降口を開けた支持ケースと、該支持ケースの対向側板部間で基端を枢支して揺動自在に片持ちした吸着台と、該吸着台に付設した磁石とを備え、前記吸着台を、突出状態の前記ガイド突起が当たる先端の当接部が前記昇降口から所定高さ突出した傾き角度位置に前記支持ケースに係止し、
前記床側ガイドは、前記ガイド突起を、位置決めケースのガイド穴に入れ子式に重ねて組み入れた筒状の第１凸状部材と、該第１凸状部材に入れ子式に重ねて組み入れ、先端に突出状態で前記ガイドレールの係止片に係止する頭部を有した第２凸状部材とで構成してなることを特徴とする、請求項１又は２に記載の引戸ガイド装置。
【請求項４】
前記磁着手段は、前記吸着台が先端の前記当接部を前記昇降口から突出させた傾き角度位置において前記支持ケースに係止した状態にあるとき、床面と平行な向きになる平面部を、前記吸着台の底面において、前記当接部の基端側に連設してなることを特徴とする、請求項３に記載の引戸ガイド装置。
【請求項５】
前記磁着手段は、前記支持ケースにおいて、前記対向側板部の底面側下端縁に前記突起ガイド部を形成し、該突起ガイド部に前記突起誘導部を連設し、前記突起ガイド部には、磁力により前記第２凸状部材に前記第１凸状部材が重なった共上がり状態で前記ガイド突起が突出したとき、引戸の走行に従い前記第１凸状部材の突端と前記第２凸状部材の頭部との間に食い込んで前記第２凸状部材から前記第１凸状部材を引き離すくさび部を形成してなることを特徴とする、請求項３又は４に記載の引戸ガイド装置。
【発明の詳細な説明】
【技術分野】
【０００１】
本発明は、引戸レール等で走行自在に吊持した引戸を開閉時に横振れしないで開閉方向に直進するように案内する引戸ガイド装置に関する。
【背景技術】
【０００２】
従来、この種の引戸ガイド装置の中には、引戸が走行する軌道下の床面に間隔をおいて取付穴を凹設し、それら取付穴に先端に磁石を有したガイドピンを出没自在に挿設する一方、引戸の下端面に凹設した細長い走行溝の戸先と戸尻側に、磁石を有した磁着体を配設し、開閉時、引戸側の磁着体が床側のガイドピンの上に至ると、磁力によりガイドピンを引き上げて走行溝に係合し、引戸が横振れしないで開閉方向に直進するように案内する構造にしたものがある（特許文献１参照）。
【先行技術文献】
【特許文献】
【０００３】
【特許文献１】特開平８−３２６４０２号公報
【発明の概要】
【発明が解決しようとする課題】
【０００４】
しかし、従来の引戸ガイド装置では、引戸の走行時、磁力によりガイドピンを取付穴から突出させて走行溝に係合することにより引戸の走行を案内するが、走行する引戸の幅サイズが大きくワイドな場合には、走行溝にガイドピンが係合してから、次のガイドピンが係合するまでの間に、引戸が煽られると、係合中のガイドピンを支点に揺動して走行溝が軌道からずれてしまい、その結果、ガイドピンの頭部が走行溝に係合せず、脇の溝縁に衝突して引戸の走行を案内できなくなるという課題がある。
【０００５】
また、従来の引戸ガイド装置では、引戸が走行する軌道に沿って床面にガイドピンの取付穴を間隔をおいて凹設し、それら取付穴にガイドピンを出没自在に挿設するが、作業ミスなどが原因で、簡単に修正できないほど大きく引戸の軌道からずれた位置に取付穴が穿設され、そのずれた取付穴にガイドピンを挿設する結果、引戸の走行時、ガイドピンの頭部が走行溝に係合せず、脇の溝縁に衝突して引戸の走行を案内できなくなるという課題があった。
【０００６】
そこで、本発明の目的は、引戸の走行時、床側のガイド突起と扉側の走行溝の位置がずれていても、そのずれを吸収して引戸の走行を案内する引戸ガイド装置を提供することにある。
【課題を解決するための手段】
【０００７】
請求項１に記載の発明は、たとえば以下に示す図示実施の形態のとおり、引戸１０を開閉方向に走行自在に吊持する一方、引戸１０が走行する軌道下の床面ｆに磁力により出没自在に間隔をおいて挿設した床側ガイドｇ１のガイド突起１５を、引戸１０の下端面１０ａに形成された扉側ガイドｇ２の走行溝２０に突出状態で係合して引戸１０の走行を案内する引戸ガイド装置Ｇにおいて、前記扉側ガイドｇ２は、前記走行溝２０の両端溝部２０ａに突出状態で前記ガイド突起１５が係合すると、そのまま前記両端溝部２０ａ間の中間溝部２０ｂへと前記ガイド突起１５を案内する突起ガイド部５０を備えると共に、突出状態の前記ガイド突起１５が前記突起ガイド部５０の手前で前記両端溝部２０ａから溝幅方向外側にずれた部位に当接すると、前記ガイド突起１５を前記突起ガイド部５０へと導く突起誘導部５５を、前記突起ガイド部５０に連設してなることを特徴とする。
【０００８】
請求項２に記載の発明は、請求項１に記載の引戸ガイド装置において、たとえば以下に示す図示実施の形態のとおり、前記突起ガイド部５０には、前記走行溝２０の両端溝部２０ａにおいて、向い合う対向溝縁が前記中間溝部２０ａに向かうに従い次第に溝幅が狭まるように斜めになった傾斜ガイド５２を設け、前記突起誘導部５５には、前記両端溝部２０ａの対向溝縁に溝幅方向外向きに鍔状に延びるフランジ５５ａを設け、該フランジ５５ａを前記傾斜ガイド５２との間に該傾斜ガイド５２より低い段差ｈを付けて形成してなることを特徴とする。
【０００９】
請求項３に記載の発明は、請求項１又は２に記載の引戸ガイド装置において、たとえば以下に示す図示実施の形態のとおり、前記扉側ガイドｇ２は、磁力により前記ガイド突起１５を突出させる一対の磁着手段２９・３０と、それら磁着手段２９・３０に両端を連結し、突出状態の前記ガイド突起１５が係止する係止片４０ｂを長さ方向に設け、内部に前記走行溝２０の中間溝部２０ｂを形成したガイドレール４０とを備え、前記磁着手段２９・３０は、対向側板部３５ａ間に前記走行溝２０の両端溝部２０ａを形成し、底部３５ｂに昇降口３４を開けた支持ケース３５と、該支持ケース３５の対向側板部３５ａ間で基端を枢支して揺動自在に片持ちした吸着台４５と、該吸着台４５に付設した磁石Ｍとを備え、前記吸着台４５を、突出状態の前記ガイド突起１５が当たる先端の当接部４５ｅが前記昇降口３４から所定高さ突出した傾き角度位置に前記支持ケース３５に係止し、前記床側ガイドｇ１は、前記ガイド突起１５を、位置決めケース１４のガイド穴２１に入れ子式に重ねて組み入れた筒状の第１凸状部材２４と、該第１凸状部材２４に入れ子式に重ねて組み入れ、先端に突出状態で前記ガイドレール４０の係止片４０ｂに係止する頭部２５ａを有した第２凸状部材２５とで構成してなることを特徴とする。
【００１０】
請求項４に記載の発明は、請求項３に記載の引戸ガイド装置において、たとえば以下に示す図示実施の形態のとおり、前記磁着手段２９・３０は、前記吸着台４５が先端の前記当接部４５ｅを前記昇降口３４から突出させた傾き角度位置において前記支持ケース３５に係止した状態にあるとき、床面ｆと平行な向きになる平面部４５ｇを、前記吸着台４５の底面４６において、前記当接部４５ｅの基端側に連設してなることを特徴とする。
【００１１】
請求項５に記載の発明は、請求項３又は４に記載の引戸ガイド装置において、たとえば以下に示す図示実施の形態のとおり、前記磁着手段２９・３０は、前記支持ケース３５において、前記対向側板部３５ａの底面側下端縁４９に前記突起ガイド部５０を形成し、該突起ガイド部５０に前記突起誘導部５５を連設し、前記突起ガイド部５０には、磁力により前記第２凸状部材２５に前記第１凸状部材２４が重なった共上がり状態で前記ガイド突起１５が突出したとき、引戸１０の走行に従い前記第１凸状部材２４の突端と前記第２凸状部材２５の頭部２５ａとの間に食い込んで前記第２凸状部材２５から前記第１凸状部材２４を引き離すくさび部５０ａを形成してなることを特徴とする。
【発明の効果】
【００１２】
請求項１に記載の発明によれば、引戸の走行時、床側ガイドのガイド突起と扉側ガイドの走行溝の位置が溝幅方向にずれていても、磁力により突出するガイド突起が突起ガイド部の手前で走行溝の両端溝部から溝幅方向外側にずれた部位に当接すると、ガイド突起を、突出状態のまま突起誘導部により突起ガイド部へと導いて、突起ガイド部により案内して走行溝の両端溝部に係合することにより、吊持状態の引戸の下端をガイド突起の位置に誘導して床側ガイドのガイド突起と扉側ガイドの走行溝のずれを吸収してから、そのまま走行溝の中間溝部へと案内し、これにより、引戸を開閉方向へ直進するように案内することができる。
【００１３】
請求項２に記載の発明によれば、引戸の走行時、床側ガイドのガイド突起と扉側ガイドの走行溝の位置が溝幅方向にずれていても、磁力により突出するガイド突起が、走行溝の両端溝部から溝幅方向外側にずれた部位にある突起誘導部のフランジに当接すると、ガイド突起を、引戸の走行に従い、フランジに沿って突起ガイド部へと導いて、突起ガイド部の傾斜ガイドにより案内して走行溝の両端溝部に係合することにより、吊持状態の引戸の下端をガイド突起の位置に誘導して床側ガイドのガイド突起と扉側ガイドの走行溝のずれを吸収してから、そのまま走行溝の中間溝部へと案内し、これにより、引戸を開閉方向へ直進するように案内することができる。
【００１４】
請求項３に記載の発明によれば、床側ガイドのガイド突起を複数の凸状部材を入れ子式に重ねて組み入れて構成するから、引戸が床面との間に大きな隙間を開けて吊り込まれていても、引戸下端のガイドレールに係合する高さまで突出するのに十分なストロークを確保することができる一方、ガイド突起を出し入れ自在に挿設する取付穴の深さも浅くて済むため、たとえ床材の厚さの範囲内に収まる浅い取付穴でも容易にガイド突起を設置することができる。更に、扉側ガイドにおいて、磁着手段の吸着台を、先端の当接部が支持ケースの昇降口から所定高さ突出する傾斜角度位置に傾けて保持し、その吸着台に付設した磁石が床面近くまで下がって待機するため、引戸が床面との間に大きな隙間を開けて吊り込まれていても、磁力により十分にガイド突起を吸引して立ち上げ、ガイドレールに確実に係合させることができる。従って、そのように引戸と床面との間の隙間が大きいために引戸側の磁石と床側のガイド突起とが離れ過ぎないように、例えば引戸をわざわざ取り外して床面との間の隙間の大きさを調整する面倒な作業が必要でなくなり、また、磁力が離れたガイド突起まで及ぶように、もともと高価な磁石をより大きな強磁性のものにわざわざ取り替える必要もなくなるため、それだけコストを著しく低減することができる。他方、引戸と床面との間の隙間が小さい場合には、磁着手段の吸着台は、先端の当接部が床面に当接するが、吸着台は、支持ケース内で基端部を枢支して揺動自在に片持ちして自由状態にあるため、開閉時、引戸が走行するときに摩擦抵抗が少なく先端の当接部において床面上をスリップしながら走行し、これにより、引戸と床面との間の隙間が小さい場合でも、引戸の走行の妨げになることなく、引戸を横振れしないように案内することができる。
【００１５】
請求項４に記載の発明によれば、磁着手段は、吸着台が先端の当接部を昇降口から突出させた傾き角度位置において支持ケースに係止した状態にあるとき、床面と平行な向きになる平面部を、吸着台の底面において、当接部の基端側に連設した構成にするから、引戸の走行時、ガイド突起の第２凸状部材と第１凸状部材とが固く重なった共上がり状態で頭部が吸着台の当接部に当接しても、それから下流側の平面部に至ったとき、ガイド突起は、頭部が平面部において磁気的に吸着すると、平面部に倣って回動して垂直姿勢を取り、そのように垂下状態になると、第１凸状部材が重力により落下して第２凸状部材から引き離されることにより、共上がり状態が矯正される。従って、ガイド突起は、こうして共上がり状態が矯正されると、引戸の走行に従い、突起ガイド部の傾斜ガイドで案内して走行溝の両端溝部に係合してから、ガイドレール内の中間溝部に係合することにより、引戸を開閉方向へ直進するように案内することができる。
【００１６】
請求項５に記載の発明によれば、扉側ガイドの突起ガイド部には、第２凸状部材に第１凸状部材が重なった突出状態でガイド突起が走行溝の両端溝部に係合すると、引戸の走行に従い第１凸状部材の突端と第２凸状部材の頭部との間に食い込んで第２凸状部材から第１凸状部材を引き離すくさび部を形成した構成にするから、ガイド突起の頭部が吸着台の当接部に当接した後で下流側の平面部に吸引されても、仮に共上がり状態が矯正されないまま平面部を経て隣接する突起ガイド部に至ることがあっても、引戸の走行に従い、第１凸状部材の突端と第２凸状部材の頭部との間にくさび部が食い込み、第２凸状部材から第１凸状部材を引き離し、最終的にはガイド突起の共上がり状態を矯正することができる。
【図面の簡単な説明】
【００１７】
【図１】本発明の第１実施形態の引戸ガイド装置を示す斜視図である。
【図２】同引戸ガイド装置を備えた扉構造体を、下部側を一部断面にして引戸の全開状態で示す正面図である。
【図３】同引戸ガイド装置の床側ガイドを示す分解斜視図である。
【図４】（Ａ）ガイド突起が収納状態の床側ガイドを示す平面図、（Ｂ）図Ａ中線Ｘ−Ｘ断面図、（Ｃ）図Ａ中線Ｙ−Ｙ断面図である。
【図５】（Ａ）ガイド突起が突出状態の床側ガイドを示す平面図、（Ｂ）図Ａ中線Ｘ−Ｘ断面図、（Ｃ）図Ａ中線Ｙ−Ｙ断面図である。
【図６】扉側ガイドの磁着手段を示す分解組立図である。
【図７】（Ａ）磁着手段を示す平面図、（Ｂ）図Ａ中線Ｘ−Ｘ断面図である。
【図８】吸着台を所定傾き角度位置に保持した状態の磁着手段を、対向側板部の一側を破断して示す斜視図である。
【図９】吸着台を所定傾き角度位置に保持した状態の磁着手段を、斜め下方から見て示す斜視図である。
【図１０】引戸下部を破断して磁着手段の内部構造を一部拡大して示す斜視図である。
【図１１】扉構造体の下部側を、閉止途中の引戸を引戸ガイド装置で案内する状態において示す縦断面図である。
【図１２】床側ガイドのガイド突起と扉側ガイドの走行溝のずれを吸収する動作を段階的に分けて示す引戸ガイド装置の部分縦断面図である。
【図１３】扉構造体の下部側を、全閉手前の引戸を引戸ガイド装置で案内する状態において示す縦断面図である。
【図１４】扉構造体の下部側を引戸の全閉状態において示す縦断面図である。
【図１５】（Ａ）ガイド突起が共上がり状態の引戸ガイド装置を示す縦断面図、（Ｂ）ガイド突起の共上がりを平面部で解消した状態の引戸ガイド装置を示す縦断面図である。
【図１６】平面部で解消されないガイド突起の共上がりを、くさび部で解消する状態を（Ａ）〜（Ｄ）の段階に分けて示す縦断面図である。
【図１７】本発明の第２実施形態の引戸ガイド装置を示す斜視図である。
【図１８】床側ガイドのガイド突起と扉側ガイドの走行溝のずれを吸収する動作を（Ａ）〜（Ｆ）へと段階的に分けて示す同引戸ガイド装置の動作説明図である。
【図１９】本発明の第３実施形態の引戸ガイド装置を示す斜視図である。
【図２０】床側ガイドのガイド突起と扉側ガイドの走行溝のずれを吸収する動作を（Ａ）〜（Ｈ）へと段階的に分けて示す同引戸ガイド装置の動作説明図である。
【発明を実施するための形態】
【００１８】
以下、図面を参照しつつ、本発明の実施形態について説明する。
【００１９】
図１は、本発明の第１実施形態の引戸ガイド装置を示し、図２は引戸ガイド装置を備えた扉構造体を引戸の全開状態で示す。図示例の扉構造体は、天井側に固定した引戸レールに戸車を介して係合した引戸１０を図中左右の開閉方向に走行自在に吊持し、開閉時は、ハンドル１１を持って引戸１０を開閉方向に走行して床Ｆと仕切壁Ｗで囲んだ開口部を開閉する構造になっている。そこで、引戸１０を走行して開口部を開閉するとき、本発明の引戸ガイド装置Ｇを作動し、開閉方向に走行する引戸１０が横振れしないで直進するように案内する。
【００２０】
引戸１０は、例えば木製パネルで、上下の横框と、左右の縦框と、各框間の縦桟および横桟とで格子状に組んだ枠体を間に挟んで一対の鏡板材を張り合わせて組み立て、下部側の横框には、下端面１０ａの長さ方向に沿って取付凹溝１２を穿設する。
【００２１】
引戸ガイド装置Ｇは、床Ｆに配設する床側ガイドｇ１と、引戸１０の取付凹溝１２に内設する扉側ガイドｇ２とからなる。
【００２２】
床側ガイドｇ１は、複数のガイド体ａ・ｂ・ｃからなる。ガイド体ａ・ｂ・ｃは、図３、図４および図５に示すように、それぞれ固定筒１３と、位置決めケース１４と、位置決めケース１４に挿設するガイド突起１５と、抜け止めリング１６と、スペーサ１７とを備える。固定筒１３は、内周が八面体の樹脂製円管で、外周面に斜め下向きに多数の引っ掛け爪１３ａ…を突設し、内周の下端縁には、周方向に間隔をあけて複数の係合凹部１３ｂを設け、図中上端の開口縁に環状鍔部１３ｃを外向きに突設してなる。
【００２３】
位置決めケース１４は、樹脂製で、上下両端を開口し、固定筒１３の内形に合わせて外周が八面体状のケース本体部１４ａと、ケース本体部１４ａの図中上端に開いた突出口１８の周縁から円形鍔状に延びるフラットな取付板部１４ｂとからなる。ケース本体部１４ａは、内側に重ねて上側開口が突出口１８の筒状ガイド穴２１を形成している。ガイド穴２１は、円周壁２１ａの一部が平面２１ｂの断面Ｄ形の回転規制穴で形成し、その平面２１ｂの外側に、ガイド穴２１の円周壁２１ａとケース本体部１４ａの外壁部１４ｃの間に間隙２２を設け、平面２１ｂの下端縁に位置決め用の爪部２１ｃを内向きに突設している。突出口１８の開口縁には、円周部位に抜け止め顎部２１ｄを内向きに突設している。更に、ケース本体部１４ａは、外壁部１４ｃの下端の対向部位に連結爪１４ｄを外向きに突設している。一方、取付板部１４ｂは、ガイド穴２１の平面２１ｂへ連なる突出口１８の開口縁に向け次第に低く勾配になった案内溝２３を設けてなる。
【００２４】
ガイド突起１５は、それぞれ位置決めケース１４のガイド穴２１に入れ子状に重ねて組み入れる円筒状の第１凸状部材２４と、第１凸状部材２４に入れ子状に重ねて組み入れるピン状の第２凸状部材２５とからなる。
【００２５】
第１凸状部材２４は、位置決めケース１４のガイド穴２１に合わせて、一部が平面２４ａの断面Ｄ形の回転規制穴が貫通した樹脂製の円筒体で、図中下端の周縁に抜け止め鍔部２４ｂを外向きに突設している。抜け止め鍔部２４ｂには、平面２４ａの下縁において切欠いて位置決め凹部２４ｃを設けてなる。
【００２６】
第２凸状部材２５は、図中上側になる先端の頭部２５ａが笠状のビス形をなす金属の磁性材からなり、基端の外周には、その端面に抜け止めリング１６の嵌合穴１６ａに嵌め込む円周溝２５ｂを凹設してなる。スペーサ１７は、ガイド穴２１の円周壁２１ｂとケース本体部１４ａの外壁部１４ｃ間の間隙２２に嵌め込み可能な形状に成形した樹脂製の間隔保持ピースである。
【００２７】
そこで、ガイド体ａ・ｂ・ｃは、まず、突出口２６から第１凸状部材２４内に第２凸状部材２５を挿入してから、円周溝２５ｂに抜け止めリング１６を嵌着して抜け止めし、第２凸状部材２５を、第１凸状部材２４に入れ子式に重ねて突出口２６から出没自在に連結してガイド突起１５を組み立てる。それから、ガイド突起１５を位置決めケース１４のガイド穴２１に下側開口２７から嵌入する。そのとき、位置決め用の爪部２１ｃを位置決め凹部２４ｃに係合させて第１凸状部材２４を位置決め保持した状態で、ガイド穴２１内に入れ子状に重ねて突出口１８から出没自在に組み入れ、間隙２２には、スペーサ１７を嵌め込んで、位置決め用の爪部２１ｃが位置決め凹部２４ｃから外れないように爪部２１ｃを背面から支えている。
【００２８】
固定筒１３は、図２、図４および図５に示すように、引戸１０が走行する軌道の下の床面ｆに間隔をあけて予め凹設した取付穴ｘ・ｙ・ｚに嵌め入れ、穴周壁に引っ掛け爪１３ａ…を引っ掛けて抜け止め状態で内設する。次いで、固定筒１３内に位置決めケース１４のケース本体部１４ａを嵌め込み、取付板部１４ｂを床面ｆに殆ど段差なく載せた状態で、連結爪１４ｄを係合凹部１３ｂに係合させて位置決めケース１４を固定筒１３に嵌着する。以って、図１および図２に示すように、戸先側のガイド体ａと中間のガイド体ｂと戸尻側のガイド体ｃをそれぞれ組み立て、引戸１０が走行移動する軌道下の床面ｆに床側ガイドｇ１を形成する。
【００２９】
他方、扉側のガイドｇ２は、取付凹溝１２において、両端の凹溝１２ａに内設する一対の磁着手段２９・３０と、両端凹溝１２ａ間の中間凹溝１２ｂに敷設するガイドレール４０とからなる。
【００３０】
磁着手段２９・３０は、支持ケース３５と、支持ケース３５に格納する吸着台４５と、吸着台４５に付設する磁石Ｍを備える。
【００３１】
支持ケース３５は、樹脂製で、取付凹溝１２の両端凹溝１２ａでの溝形状に合わせて細長い直方形の箱体をなし、一対の対向側板部３５ａ間に走行溝２０の両端溝部２０ａを形成し、図６、図７、図８および図９に示すように、上側に吸着台４５の取付ロ３２を開けると共に、底部３５ｂに昇降口３４を開け、長さ方向先端の上板片部３５ｃにねじ挿通穴４１設ける。一方、基端側には、一対の対向側板部３５ａの上側にそれぞれ軸受穴４２を穿設すると共に平行な一対の連結凸部３５ｄを角状に突設している。
【００３２】
支持ケース３５において、対向側板部３５ａには、軸受穴４２の下方の内側板面に、吸着台４５を所定の傾斜角度位置に受け止めるために上端面が底部３５ｂに向かうに従い次第に低くなるように傾斜した受け止め段部４４を形成する一方、上縁には、吸着台４５の飛び出しを規制する押えリブ３５ｅを内向きに凸設してなる。加えて、対向側板部３５ａには、それぞれ底部３５ｂ側の下端縁４９に、突出状態で走行溝２０の両端溝部２０ａに係合するガイド突起１５を中間溝部２０ｂへ案内する突起ガイド部５０と、突起ガイド部５０の上流側に突出状態のガイド突起１５を突起ガイド部５０へと導く突起誘導部５５を連設している。
【００３３】
突起ガイド部５０は、対向側板部３５ａの底部３５ｂ側下端縁４９に、それぞれ長さ方向に沿って鍔状の係止片５１を対向させて設け、それら係止片５１の突起誘導部５５と隣接する側には、係止片５１間に形成した走行溝２０の両端溝部２０ａの対向溝縁が中間溝部２０ｂに向かうに従い次第に溝幅が狭まるようにテーパになった逆ハ字状の傾斜ガイド５２を設ける。係止片５１は、傾斜ガイド５２を有する部分を、隣接する突起誘導部５５に向かうに従い次第に薄肉に且つ先細に成形し、そこにくさび部５０ａを形成する。
【００３４】
突起誘導部５５は、図９に示すように、対向側板部３５ａの底部３５ｂ側下端縁４９、即ち、対向側板部３５間の両端溝部２０ａの対向溝縁に、溝幅方向外向きに鍔状に延びるフランジ５５ａを設ける。フランジ５５ａは、突起ガイド部５０の傾斜ガイド５２より薄肉に成形し、突起ガイド部５０との間に傾斜ガイド５２より低い段差ｈを付けて形成する。
【００３５】
吸着台４５は、樹脂製で、図６〜図９に示すように、磁石Ｍを入れる嵌付凹部４５ａ・４５ｂを仕切り４５ｃで長さ方向前後に分けて設け、基端に揺動支点の凸部４５ｄを設ける一方、先端にショベル状の当接部４５ｅを設けて全体をゴンドラ状に成形する。嵌付凹部４５ａ・４５ｂには、幅方向に対向した側壁上縁に、磁石Ｍの飛び出しを規制する押えリブ４５ｆを互いに内向きに突設する。加えて、吸着台４５は、底面４６において、ショベル状に湾曲した当接部４５ｅの基端側に、その当接部４５ｅを昇降口３４から突出させた傾き角度位置で支持ケース３５の受け止め段部４４に係止した状態にあるとき、床面ｆと平行な向きになる平面部４５ｇを形成する。平面部４５ｇと基端との間の底面４６には、受け止め段部４４に係止する係止段部４５ｈを凹設する。
【００３６】
磁石Ｍは、厚肉な矩形板状の強磁性の第１磁石ｍ１と、第１磁石ｍ１より一段薄肉な矩形板状の弱磁性の第２磁石ｍ２の２体に分けてなる。
【００３７】
そこで、磁着手段２９・３０は、第１磁石ｍ１を先端側の嵌付凹部４５ａに嵌め込み、第２磁石ｍ２を基端側の嵌付凹部４５ｂに嵌め込んで磁石Ｍを吸着台４５に搭載し、凸部４５ｄを軸受穴４２に嵌合して基端を支持ケース３５に枢支し吸着台４５を支持ケース３５内で揺動自在に片持ちする一方、係止段部４５ｈを受け止め段部４４に係止し、突出状態のガイド突起１５が当たる先端の当接部４５ｅが昇降口３４から所定高さ突出した傾き角度位置に保持して組み立ててなる。
【００３８】
ガイドレール４０は、図１に示すように、略角パイプ状をなすレール本体４０ａ内に走行溝２０の中間溝部２０ｂを形成し、中間溝部２０ｂを挟んだ両側に係止片４０ｂを平行に列設する。一方、レール本体４０ａの上板部４０ｃには、幅方向両側の角縁を磁着手段２９・３０の連結凸部３５ｄの凸形状に合わせて屈曲させて連結用の係合段部４０ｄを形成している。
【００３９】
そこで、扉側ガイドｇ２は、引戸１０の取付凹溝１２の両端凹溝１２ａ内に互いの連結凸部３５ｄを向き合わせて磁着手段２９・３０を嵌め込み、連結凸部３５ｄにガイドレール４０の係合段部４０ｄを係合し、互いの係止片５１・４０ｂを一直線に合わせた状態で、ガイドレール４０を磁着手段２９・３０に連結してから、上板部３５ｃを溝底面にねじ止めして組み立てて扉側ガイドｇ２を取付凹溝１２に内設する。この組立初期状態において、扉側ガイドｇ２は、図７および図１０に示すように、磁着手段２９・３０の吸着台４５を、係止段部４５ｈを受け止め段部４４に係止させて先端の当接部４５ｅが昇降口３４から所定高さ突出した傾き角度位置において保持する。
【００４０】
さて、図示例の扉構造体では、閉時、図２に示すように、全開した引戸１０を、ハンドル１１を持って矢示する閉方向に引くと、引戸レールの案内で戸車を転動しながら閉方向に引戸１０が動き出して開口部を閉じ始めるが、この閉止途中、引戸ガイド装置Ｇは、図１１に示すように、床側ガイドｇ１の中間ガイド体ｂにおいて、入れ子状に立ち上がったガイド突起１５の第２凸状部材２５の頭部２５ａがガイドレール４０の係止片４０ｂに係止して引戸１０を閉方向に案内する。
【００４１】
それから、引戸１０が閉方向にさらに直進し、扉側ガイドｇ２の戸尻側磁着手段３０が床側ガイドｇ１の中間ガイド体ｂに近づいて、吸着台４５の先端側の嵌付凹部４５ａに嵌め込んだ磁石Ｍの第１磁石ｍ１がガイド突起１５の上に至ると［図１２（Ａ１）参照］、磁力により第２の凸状部材２５が第１凸状部材２４から引き上げられる。第２凸状部材２５が引き上がると、突出口２６に抜け止めリング１６が係止し（図５参照）、外側の第１凸状部材２４が位置決めケース１４の突出口１８から、入れ子式に立ち上がり、第２凸状部材２５の頭部２５ａが吸着台４５の底面４６の当接部４５ｅに当接する。すると、ガイド突起１５は、引戸１０の走行に従い、吸着台４５の基端側の嵌付凹部４５ｂに嵌め込んだ磁石Ｍの第２磁石ｍ２で吸引して突出した状態のまま［図１２（Ｂ１）参照］、第２凸状部材２５の頭部２５ａを、吸着台４５の底面４６を滑らしながら、突起ガイド部５０の傾斜ガイド５２で案内して走行溝２０の両端溝部２０ａに係合し［図１１（Ｃ１）参照］、係止片５１に係止してから［図１１（Ｄ１）参照］、そのままガイドレール４０の係止片４０ｂに、図１３に示すように係止する。一方、そのとき、ガイドレール４０の戸尻側で突起ガイド部５０の係止片５１に係止した中間ガイド体ｂの第２凸状部材１５は、昇降口３４を通って戸尻側磁着手段３０の係止片５１から外れる。従って、その後、引戸１０は、戸先側ガイド体ａのガイド突起１５の案内で走行し、図１４に示すように開口部を全閉する。
【００４２】
従って、引戸ガイド装置Ｇでは、上述のように床側ガイドｇ１（ガイド体ａ・ｂ・ｃ）のガイド突起１５を複数の凸状部材２４・２５を入れ子式に重ねて組み入れて構成するから、引戸１０が床面ｆとの間に大きな隙間を開けて吊り込まれていても、引戸下端のガイドレール４０に係合する高さまで突出するのに十分なストロークを確保することができる一方、ガイド突起１５を出し入れ自在に挿設する取付穴ｘ・ｙ・ｚの深さも浅くて済むため、たとえ床材の厚さの範囲内に収まる浅い取付穴でも容易にガイド突起１５を設置することができる。
【００４３】
更に、引戸ガイド装置Ｇでは、扉側ガイドｇ２において、磁着手段２９・３０の吸着台４５を、先端の当接部４５ｅが支持ケース３５の昇降口３４から所定高さ突出する傾斜角度位置に傾けて保持し、その吸着台４５に付設した磁石Ｍが床面ｆ近くまで下がって待機するため、引戸１０が床面ｆとの間に大きな隙間を開けて吊り込まれていても、磁力により十分にガイド突起１５を吸引して立ち上げ、ガイドレール４０に確実に係合させることができる。従って、そのように引戸１０と床面ｆとの間の隙間が大きいために引戸側の磁石Ｍと床Ｆ側のガイド突起１５とが離れ過ぎないように、例えば引戸をわざわざ取り外して床面ｆとの間の隙間の大きさを調整する面倒な作業が必要でなくなり、また、磁力が離れたガイド突起１５まで及ぶように、もともと高価な磁石をより大きな強磁性のものにわざわざ取り替える必要もなくなるため、それだけコストを著しく低減することができる。他方、引戸１０と床面ｆとの間の隙間が小さい場合には、磁着手段２９・３０の吸着台４５は、先端の当接部４５ｅが床面ｆに当接するが、吸着台４５は、支持ケース３５内で基端部を枢支して揺動自在に片持ちして自由状態にあるため、開閉時、引戸１０が走行するときに摩擦抵抗が少なく先端の当接部４５ｅにおいて床面ｆ上をスリップしながら走行し、これにより、引戸１０と床面ｆとの間の隙間が小さい場合でも、引戸の走行の妨げになることなく、引戸を横振れしないように案内することができる。
【００４４】
以上のように引戸ガイド装置Ｇでは、引戸１０の走行時、扉側ガイドｇ２の磁石Ｍの磁力によりガイド突起１５の第２凸状部材２５と第１凸状部材２４を床側ガイドｇ１の位置決めケース１４の突出口１８から順次、入れ子式に立ち上げて、第２凸状部材２５の頭部２５ａを、吸着台４５の底面４の当接部４５ｅに当接し、引戸１０の走行に従い、突起ガイド部５０の傾斜ガイド５２の案内で走行溝２０の両端溝部２０ａに係合して係止片５１に係止してから、そのままガイドレール４０の中間溝部２０ｂに係合して係止片４０ｂに係止することにより、引戸１０を開閉方向に直進するように案内する。ところが、走行を案内する引戸の幅サイズが大きくワイドな場合に、走行中に引戸が煽られてガイドレール４０に係止中のガイド突起１５を支点として大きく横に揺れて扉側ガイドｇ２の走行溝２０が床側ガイドｇ１からずれることがある。また、反対に床側ガイドｇ１（ガイド体ａ・ｂ・ｃ）が作業ミスなどが原因で簡単に修正できないほど大きく引戸１０の所定軌道からずれて床Ｆに内設されることもある。
【００４５】
そこで、引戸ガイド装置Ｇでは、引戸１０の走行時、図１２（Ａ１）に示すように、吸着台４５の第１磁石ｍ１がガイド突起１５の上に至ると、同図（Ａ２）に示すように、床側ガイドｇ１のガイド突起１５と扉側ガイドｇ２の走行溝２０の位置が溝幅方向にずれていても、磁力により第２凸状部材２５と第１凸状部材２４が床側ガイドｇ１の突出口１８から、図１２（Ｂ１）に示すように入れ子式に立ち上がり、同図（Ｂ２）に示すように、第２凸状部材２５の頭部２５ａは、吸着台４５の当接部４５ｅではなく、走行溝２０の両端溝部２０ａから溝幅方向外側にずれた部位にある突起誘導部５５のフランジ５５ａに当接する。すると、ガイド突起１５は、図１２（Ｃ１）に示すように、引戸１０の走行に従い、頭部２５ａがフランジ５５ａに沿って突起ガイド部５０へ導かれて、図１２（Ｃ２）に示すように、傾斜ガイド５２で案内して走行溝２０の両端溝部２０ａに係合し、図１２（Ｄ１）に示すように係止片５１に係止することにより、吊持状態の引戸１０をガイド突起１５の位置に誘導し、図１２（Ｄ２）に示すように、床側ガイドｇ１のガイド突起１５と扉側ガイドｇ２の走行溝２０のずれを吸収する。それから、引戸ガイド装置Ｇは、ガイド突起１５の頭部２５ａを突起ガイド部５５５の係止片５１からガイドレール４０に係止させて、引戸１０を開閉方向に直進するように案内する。
【００４６】
ところが、引戸ガイド装置Ｇでは、引戸１０の走行時、扉側ガイドｇ２の吸着台４５に嵌め込んだ磁石Ｍの第１磁石ｍ１がガイド突起１５の上に到達したとき、内側の第２凸状部材２５が筒状の第１凸状部材２４内に固く嵌り込んでいると、磁力により、図１５（Ａ）に示すように、第２凸状部材２５が第１凸状部材２４と重なって共上がりし、しかも、頭部２５ａが傾斜した吸着台４５の当接部４５ｅに当接すると、第２凸状部材２５が第１凸状部材２４内で傾いて固く重なった状態をさら増幅させて状態で共上がりするため、ガイド突起１５は頭部２５ａが突起ガイド部５０の係止片５１に係止されず、その結果、ガイドレール４０に係止されないことになり、引戸１０を走行溝２０に沿って案内することができないおそれがある。
【００４７】
そこで、引戸ガイド装置Ｇは、吸着台４５が先端の当接部４５ｅを昇降口３４から突出させた傾き角度位置において支持ケース３５に係止した状態にあるとき、床面ｆと平行な向きになる平面部４５ｇを、吸着台４５の底面４６において、当接部４５ｅの基端側に連設した構成であるため、引戸１０の走行時、そのようにガイド突起１５の第２凸状部材２５と第１凸状部材２４とが固く重なった共上がり状態で頭部２５ａが吸着台４５の当接部４５ｅに当接しても、それから下流側の平面部４５ｇに至ったとき、図１５（Ｂ）に示すように、ガイド突起１５は、頭部２５ａが平面部４５ｇにおいて磁気的に吸着すると、平面部４５ｇに倣って回動して垂直姿勢を取り、そのように垂下状態になると、第１凸状部材２４が重力により落下して第２凸状部材２５から引き離されることにより、共上がり状態が矯正される。従って、ガイド突起１５は、こうして共上がり状態が矯正されると、引戸１０の走行に従い、突起ガイド部５０の傾斜ガイド５２で案内して走行溝２０の両端溝部２０ａに係合してから、ガイドレール４０内の中間溝部２０ｂに係合して係止片４０ｂに係止することにより、引戸を開閉方向へ直進するように案内する。
【００４８】
ところが、引戸ガイド装置Ｇでは、図１６（Ａ）に示すように、共上がり状態のガイド突起１５の頭部２５ａが吸着台４５の当接部４５ｅに当接した後に、下流側の平面部５ｇに吸引されても、第１凸状部材２４と第２凸状部材２５の重なりが固く強いために、図１６（Ｂ）に示すように共上がり状態が矯正されない場合も考えられる。
【００４９】
そこで、引戸ガイド装置Ｇは、扉側ガイドｇ２の突起ガイド部５０には、第２凸状部材２５に第１凸状部材２４が重なった突出状態でガイド突起１５が走行溝２０の両端溝部２０ａに係合したとき、引戸１０の走行に従い第１凸状部材２４の突端と第２凸状部材２５の頭部２５との間に食い込んで第２凸状部材２５から第１凸状部材２４を引き離すくさび部５０ａを形成した構成にするため、ガイド突起１５の頭部１５ａが吸着台４５の当接部４５ｅに当接した後に下流側の平面部４５ｇに吸着しても、仮に共上がり状態が矯正されないまま平面部４５ｇを経て隣接する突起ガイド部５０に至ることがあっても、図１６（Ｃ）に示すように、引戸１０の走行に従い、第１凸状部材２４の突端と第２凸状部材２５の頭部２５との間にくさび部４５ｇが食い込み、図１６（Ｄ）に示すように、第２凸状部材２５から第１凸状部材２４を引き離し、最終的にはガイド突起１５の共上がり状態を矯正することができる。
【００５０】
ところで、上述した第１実施形態の引戸ガイド装置Ｇでは、床側ガイドｇ１のガイド突起１５を複数の凸状部材２４・２５を入れ子式に重ねて組み入れて構成する一方、扉側ガイドｇ２の磁着手段２９・３０は、磁石Ｍを付設した揺動自在の吸着台４５を、先端の当接部４５ｅが支持ケース３５の昇降口３４から所定高さ突出する傾斜角度位置に傾けて保持する構成にするが、本発明は、引戸が走行する軌道下の床面に磁力により出没自在に挿設した床側ガイドのガイド突起を、引戸の下端面に形成された扉側ガイドの走行溝に突出状態で係合して引戸の走行を案内するものであればよく、例えば図１７および図１８に示す第２実施形態の引戸ガイド装置Ｇのように構成することができる。なお、図示第２実施形態において、上述した第１実施形態の引戸ガイド装置と同一の構成には同じ符号を付し、以下に説明する。
【００５１】
床側ガイドｇ１は、床面ｆに間隔をおいて配設した複数のガイド体ａ・ｂ・ｃからなり、ガイド突起１５を、それぞれ位置決めケース１４のガイド穴に入れ子状に重ねて組み入れる円筒状の第１凸状部材２４と、第１凸状部材２４に入れ子状に重ねて組み入れるピン状の第２凸状部材２５とで構成する。第２凸状部材２５の頭部２５ａには磁石が埋設されている。
【００５２】
扉側のガイドｇ２は、引戸１０に下端面１０ａの長さ方向に凹設した取付凹溝において、両端の凹溝に内設する一対の磁着手段５９・６０と、両端凹溝間の中間凹溝に敷設するガイドレール６５とからなる。磁着手段５９・６０は、樹脂製で、取付凹溝の両端凹溝での溝形状に合わせて断面コ形をなすガイド本体６１と、ガイド本体６１のウェブ内面に付着する磁石Ｍを備える。
【００５３】
ガイド本体６１は、一対の対向側板部６２間に走行溝２０の両端溝部２０ａを形成している。対向側板部６２には、それぞれ下端縁６２ａに、突出状態で走行溝２０の両端溝部２０ａに係合するガイド突起１５を中間溝部２０ｂへ案内する突起ガイド部５０と、突出状態のガイド突起１５を突起ガイド部５０へと導く突起誘導部５５とを連設している。突起ガイド部５０は、対向側板部６２の下端縁６２ａに、それぞれ長さ方向に沿って鍔状の係止片５１を対向させて設け、それら係止片５１の突起誘導部５５と隣接する上流側には、係止片５１間に形成した走行溝２０の両端溝部２０ａの対向溝縁が下流の中間溝部２０ｂに向かうに従い次第に溝幅が狭まるようにテーパになった逆ハ字状の傾斜ガイド５２が設けられている。係止片５１は、傾斜ガイド５２を有する側の部分を、隣接する突起誘導部５５に向かうに従い次第に薄肉に且つ先細に成形し、そこにくさび部５０ａを形成する。
【００５４】
突起誘導部５５は、対向側板部６２の下端縁６２ａに、即ち、その間の両端溝部２０ａの対向溝縁に、端縁を溝幅方向外向きに鍔状に延ばしたフランジ５５ａを設ける。フランジ５５ａは、突起ガイド部５０の傾斜ガイド５２より薄肉に成形し、突起ガイド部５０との間に傾斜ガイド５２より低い段差ｈを付けて形成する。
【００５５】
ガイドレール６５は、取付凹溝における中間凹溝での溝形状に合わせて、磁性体の鉄板を下面開放の断面コ形に曲げ成形したャンネル材で、内部に走行溝２０の中間溝部２０ｂを形成している。そこで、扉側ガイドｇ２は、取付凹溝の両端凹溝に磁着手段５９・６０を嵌め込み、磁着手段５９・６０にガイドレール６５を連結して中間凹溝に嵌め込んで引戸１０の下端面１０ａに組み付ける。
【００５６】
さて、上述した構成の第２実施形態の引戸ガイド装置Ｇでは、引戸１０の走行時、扉側ガイドｇ２の磁着手段５９・６０が床側ガイドｇ１のガイド体ａ・ｂ・ｃに近づいて、磁石Ｍがガイド突起１５の上に至ると、扉側ガイドｇ２の磁石Ｍの磁力によりガイド突起１５の第２凸状部材２５と第１凸状部材２４を床側ガイドｇ１の位置決めケース１４の突出口１８から順次、入れ子式に立ち上げて、第２凸状部材２５の頭部２５ａを、引戸１０の走行に従い、突起ガイド部５０の傾斜ガイド５２で案内して走行溝２０の両端溝部２０ａに係合してから、ガイドレール４０内の中間溝部２０ｂに係合して係止片４０ｂに係止することにより、引戸を開閉方向へ直進するように案内する。
【００５７】
ところで、引戸１０の走行時、床側ガイドｇ１のガイド突起１５と扉側ガイドｇ２の走行溝２０の位置がずれている場合に、仮に、図１８（Ａ）に示すように、磁着手段５９・６０（ガイド本体６１）の対向側板部６２の下端縁６２ａに、突起ガイド部５０と突起誘導部５５が連設されていないと、同図（Ｂ）に示すように、ガイド突起１５の頭部２５ａが走行溝２０の両端溝部２０ａに係合せずに、同図（Ｃ）に示すように、脇の溝縁に衝突して引戸の走行を案内する機能を果たせない状態になる。
【００５８】
ところが、引戸ガイド装置Ｇは、図１７に示すように、磁着手段５９・６０（ガイド本体６１）の対向側板部６２の下端縁６２ａに、突起ガイド部５０と突起誘導部５５を連設し、特に、突起誘導部５５には、対向側板部６２の下端縁６２ａに、即ち、その間の両端溝部２０ａの対向溝縁に、その端縁から溝幅方向外向きに鍔状にフランジ５５ａを延ばし、隣りの突起ガイド部５０との間に傾斜ガイド５２より低い段差ｈを付けて形成するから、引戸１０の走行時、床側ガイドｇ１のガイド突起１５と扉側ガイドｇ２の走行溝２０の位置がずれていても、図１８（Ｄ）に示すように、第２凸状部材２５の頭部２５ａが、走行溝２０の両端溝部２０ａに係合しないで、両端溝部２０ａから溝幅方向外側にずれた部位にある突起誘導部５５のフランジ５５ａに当接する。ガイド突起１５は、頭部２５ａが突起誘導部５５のフランジ５５ａに当接すると、図１８（Ｅ）に示すように、引戸１０の走行に従い、頭部２５ａがフランジ５５ａに沿って突起ガイド部５０へ導かれる。ガイド突起１５は、その頭部２５ａが突起ガイド部５０へ導かれると、図１８（Ｆ）に示すように、引戸１０の走行に従い、突起ガイド部５０の傾斜ガイド５２で案内して走行溝２０の両端溝部２０ａに係合して頭部２５ａを係止片５１に係止し、吊持状態の引戸１０をガイド突起１５の位置に誘導して床側ガイドｇ１のガイド突起１５と扉側ガイドｇ２の走行溝２０のずれを吸収する。それから、ずれがなくなったガイド突起１５の頭部２５ａをガイドレール４０内の中間溝部２０ｂに係合して係止片４０ｂに係止することにより、引戸を開閉方向へ直進するように案内する機能を果たす。
【００５９】
次に、本発明は、例えば図１９および図２０に示す第３実施形態の引戸ガイド装置Ｇのように構成することもできる。なお、図示第３実施形態において、上述した第１および第２実施形態の引戸ガイド装置Ｇと同一の構成には同じ符号を付し、以下に説明する。
【００６０】
床側ガイドｇ１は、床面ｆに間隔をおいて配設した複数のガイド体ａ・ｂ・ｃからなり、筒状の位置決めケース１４にガイド突起１５を出没自在に挿設して構成する。ガイド突起１５は、先端の頭部２５ａの下部外周に係止溝２５ｃを有したピン状に形成する。
【００６１】
扉側のガイドｇ２は、引戸１０に下端面の長さ方向に凹設した取付凹溝において、両端の凹溝に内設する一対の磁着手段６９・７０と、両端凹溝間の中間凹溝に敷設するガイドレール７５とからなる。磁着手段６９・７０は、樹脂製で、取付凹溝における両端凹溝の溝形状に合わせて断面コ形をなすガイド本体７１と、ガイド本体７１のウェブ部内面に接着した磁石Ｍを備える。
【００６２】
ガイド本体７１は、一対の対向側板部７２間に走行溝２０の両端溝部２０ａを形成している。対向側板部７２には、それぞれ下端縁７２ａに、突出状態で走行溝２０の両端溝部２０ａに係合するガイド突起１５を中間溝部２０ｂへ案内する突起ガイド部５０と、突出状態のガイド突起１５を突起ガイド部５０へと導く突起誘導部５５とを連設している。突起ガイド部５０は、対向側板部７２の下端縁７２ａに、それぞれ長さ方向に沿って鍔状の係止片５１を対向させて設け、それら係止片５１の突起誘導部５５と隣接する上流側には、係止片５１間に形成した走行溝２０の両端溝部２０ａの対向溝縁が下流の中間溝部２０ｂに向かうに従い次第に溝幅が狭まるようにテーパになった逆ハ字状の傾斜ガイド５２が設けられている。係止片５１は、傾斜ガイド５２を有する側の部分を、隣接する突起誘導部５５に向かうに従い次第に薄肉に且つ先細に成形し、そこにくさび部５０ａを形成する。
【００６３】
突起誘導部５５は、対向側板部７２の下端縁７２ａに、即ち、その間の両端溝部２０ａの対向溝縁に、その端縁を溝幅方向外向きに鍔状に延ばしたフランジ５５ａを設ける。フランジ５５ａは、突起ガイド部５０の傾斜ガイド５２より薄肉に成形し、突起ガイド部５０との間に傾斜ガイド５２より低い段差ｈを付けて形成する。
【００６４】
ガイドレール７５は、取付凹溝における中間凹溝の溝形状に合わせて、断面コ形に曲げ成形したャンネル材で、内部に走行溝２０の中間溝部２０ｂを形成し、中間溝部２０ｂを挟んだ両側に係止片７５ａを平行に列設している。そこで、扉側ガイドｇ２は、取付凹溝の両端凹溝に磁着手段６９・７０を嵌め込み、磁着手段６９・７０にガイドレール７５を連結して中間凹溝に嵌め込んで引戸１０の下端面１０ａに組み付ける。
【００６５】
さて、上述した構成の第３実施形態の引戸ガイド装置Ｇでは、引戸１０の走行時、扉側ガイドｇ２の磁着手段６９・７０が床側ガイドｇ１のガイド体ａ・ｂ・ｃに近づいて、磁石Ｍがガイド突起１５の上に至ると、扉側ガイドｇ２の磁石Ｍの磁力によりガイド突起１５を床側ガイドｇ１の位置決めケース１４の突出口１８から突出させ、引戸１０の走行に従い、突起ガイド部５０の傾斜ガイド５２で案内して走行溝２０の両端溝部２０ａに係合してガイド突起１５の係止溝２５ｂに係止片５１を係止してから、ガイドレール４０内の中間溝部２０ｂに係合して係止片４０ｂに係止することにより、引戸を開閉方向へ直進するように案内する。
【００６６】
ところで、引戸１０の走行時、床側ガイドｇ１のガイド突起１５と扉側ガイドｇ２の走行溝２０の位置がずれている場合に、仮に、図２０（Ａ）に示すように、磁着手段６９・７０（ガイド本体７１）の対向側板部７２の下端縁７２ａに、突起ガイド部５０と突起誘導部５５が連設されていないと、同図（Ｂ）・（Ｃ）に示すように、ガイド突起１５の頭部２５ａが走行溝２０の両端溝部２０ａに係合せずに、同図（Ｄ）に示すように、脇の溝縁に衝突して引戸の走行を案内する機能を果たせない状態になる。
【００６７】
ところが、引戸ガイド装置Ｇは、図１９に示すように、磁着手段６９・７０（ガイド本体７１）の対向側板部７２の下端縁７２ａに、突起ガイド部５０と突起誘導部５５を連設し、特に、突起誘導部５５には、突起ガイド部５０の上流側で、対向側板部７２の下端縁７２ａに、即ち、その間の両端溝部２０ａの対向溝縁に、その端縁から溝幅方向外向きに鍔状にフランジ５５ａを延ばし、隣りの突起ガイド部５０との間に傾斜ガイド５２より低い段差ｈを付けて形成した構成にするから、引戸１０の走行時、床側ガイドｇ１のガイド突起１５と扉側ガイドｇ２の走行溝２０の位置がずれていても、図２０（Ｅ）に示すように、ガイド突起１５の頭部２５ａが、走行溝２０の両端溝部２０ａに係合しないで、両端溝部２０ａから溝幅方向外側にずれた部位にある突起誘導部５５のフランジ５５ａに当接する。ガイド突起１５は、頭部２５ａが突起誘導部５５のフランジ５５ａに当接すると、図２０（Ｆ）に示すように、引戸１０の走行に従い、頭部２５ａがフランジ５５ａに沿って突起ガイド部５０へ導かれる。ガイド突起１５は、頭部２５ａが突起ガイド部５０へ導かれると、図２０（Ｇ）に示すように、突起ガイド部５０の傾斜ガイド５２で案内して走行溝２０の両端溝部２０ａに係合して頭部２５ａを係止片５１に係止し、吊持状態の引戸１０をガイド突起１５の位置に誘導して床側ガイドｇ１のガイド突起１５と扉側ガイドｇ２の走行溝２０のずれを吸収する。それから、ずれがなくなったガイド突起１５の頭部２５ａをガイドレール４０内の中間溝部２０ｂに係合して係止片４０ｂに係止することにより、引戸を開閉方向へ直進するように案内する機能を果たす。
【符号の説明】
【００６８】
Ｆ                      床
ｆ                      床面
Ｇ                      引戸ガイド装置
ｇ１                    床側ガイド
ｇ２                    扉側ガイド
ｈ                      段差
Ｍ                      磁石
１０                    引戸
１０ａ                  引戸の下端面
１５                    ガイド突起
２０                    走行溝
２０ａ                  両端溝部
２０ｂ                  中間溝部
２４                    第１凸状部材
２５                    第２凸状部材
２９・３０  ５９・６０
６０・７０              磁着手段
３４                    昇降口
３５                    支持ケース
４０・６５・７５        ガイドレール
４５                    吸着台
４５ｅ                  当接部
４５ｇ                  平面部
５０                    突起ガイド部
５０ａ                  くさび部
５２                    傾斜ガイド
５５                    突起誘導部
５５ａ                  フランジ
【図１】
2014043693.tif 000003
【図２】
2014043693.tif 000004
【図３】
2014043693.tif 000005
【図４】
2014043693.tif 000006
【図５】
2014043693.tif 000007
【図６】
2014043693.tif 000008
【図７】
2014043693.tif 000009
【図８】
2014043693.tif 000010
【図９】
2014043693.tif 000011
【図１０】
2014043693.tif 000012
【図１１】
2014043693.tif 000013
【図１２】
2014043693.tif 000014
【図１３】
2014043693.tif 000015
【図１４】
2014043693.tif 000016
【図１５】
2014043693.tif 000017
【図１６】
2014043693.tif 000018
【図１７】
2014043693.tif 000019
【図１８】
2014043693.tif 000020
【図１９】
2014043693.tif 000021
【図２０】
2014043693.tif 000022
【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
引戸を開閉方向に走行自在に吊持する一方、引戸が走行する軌道下の床面に磁力により出没自在に間隔をおいて挿設した床側ガイドのガイド突起を、引戸の下端面に形成された扉側ガイドの走行溝に突出状態で係合して引戸の走行を案内する引戸ガイド装置において、
前記扉側ガイドは、前記走行溝の両端溝部に突出状態で前記ガイド突起が係合すると、そのまま前記両端溝部間の中間溝部へと前記ガイド突起を案内する突起ガイド部を備えると共に、突出状態の前記ガイド突起が前記突起ガイド部の手前で前記両端溝部に係合せずに、該両端溝部から溝幅方向外側にずれた部位に当接すると、前記ガイド突起を前記突起ガイド部へと導く突起誘導部を、前記突起ガイド部に連設し、前記突起誘導部には、前記両端溝部から溝幅方向外側にずれた部位において、前記突起ガイド部との間にそこより低い段差を設けてなることを特徴とする、引戸ガイド装置。
【請求項２】
前記突起ガイド部には、前記走行溝の両端溝部において、向い合う対向溝縁が前記中間溝部に向かうに従い次第に溝幅が狭まるように斜めになった傾斜ガイドを設け、前記突起誘導部には、前記両端溝部の対向溝縁に溝幅方向外向きに鍔状に延びるフランジを設けてなることを特徴とする、請求項１に記載の引戸ガイド装置。
【請求項３】
前記扉側ガイドは、磁力により前記ガイド突起を突出させる一対の磁着手段と、それら磁着手段に両端を連結し、突出状態の前記ガイド突起が係止する係止片を長さ方向に設け、内部に前記走行溝の中間溝部を形成したガイドレールとを備え、前記磁着手段は、対向側板部間に前記走行溝の両端溝部を形成し、底部に昇降口を開けた支持ケースと、該支持ケースの対向側板部間で基端を枢支して揺動自在に片持ちした吸着台と、該吸着台に付設した磁石とを備え、前記吸着台を、突出状態の前記ガイド突起が当たる先端の当接部が前記昇降口から所定高さ突出した傾き角度位置に前記支持ケースに係止し、
前記床側ガイドは、前記ガイド突起を、位置決めケースのガイド穴に入れ子式に重ねて組み入れた筒状の第１凸状部材と、該第１凸状部材に入れ子式に重ねて組み入れ、先端に突出状態で前記ガイドレールの係止片に係止する頭部を有した第２凸状部材とで構成してなることを特徴とする、請求項１又は２に記載の引戸ガイド装置。
【請求項４】
前記磁着手段は、前記吸着台が先端の前記当接部を前記昇降口から突出させた傾き角度位置において前記支持ケースに係止した状態にあるとき、床面と平行な向きになる平面部を、前記吸着台の底面において、前記当接部の基端側に連設してなることを特徴とする、請求項３に記載の引戸ガイド装置。
【請求項５】
前記磁着手段は、前記支持ケースにおいて、前記対向側板部の底面側下端縁に前記突起ガイド部を形成し、該突起ガイド部に前記突起誘導部を連設し、前記突起ガイド部には、磁力により前記第２凸状部材に前記第１凸状部材が重なった共上がり状態で前記ガイド突起が突出したとき、引戸の走行に従い前記第１凸状部材の突端と前記第２凸状部材の頭部との間に食い込んで前記第２凸状部材から前記第１凸状部材を引き離すくさび部を形成してなることを特徴とする、請求項３又は４に記載の引戸ガイド装置。
【手続補正２】
【補正対象書類名】明細書
【補正対象項目名】０００７
【補正方法】変更
【補正の内容】
【０００７】
請求項１に記載の発明は、たとえば以下に示す図示実施の形態のとおり、引戸１０を開閉方向に走行自在に吊持する一方、引戸１０が走行する軌道下の床面ｆに磁力により出没自在に間隔をおいて挿設した床側ガイドｇ１のガイド突起１５を、引戸１０の下端面１０ａに形成された扉側ガイドｇ２の走行溝２０に突出状態で係合して引戸１５の走行を案内する引戸ガイド装置Ｇにおいて、前記扉側ガイドｇ２は、前記走行溝２０の両端溝部２０ａに突出状態で前記ガイド突起１５が係合すると、そのまま前記両端溝部２０ａ間の中間溝部２０ｂへと前記ガイド突起１５を案内する突起ガイド部５０を備えると共に、突出状態の前記ガイド突起１５が前記突起ガイド部５０の手前で前記両端溝部２０ａに係合せずに、該両端溝部２０ａから溝幅方向外側にずれた部位に当接すると、前記ガイド突起１５を前記突起ガイド部５０へと導く突起誘導部５５を、前記突起ガイド部５０に連設し、前記突起誘導部５５には、前記両端溝部２０ａから溝幅方向外側にずれた部位において、前記突起ガイド部５０との間にそこより低い段差ｈを設けてなることを特徴とする。
【手続補正３】
【補正対象書類名】明細書
【補正対象項目名】０００８
【補正方法】変更
【補正の内容】
【０００８】
請求項２に記載の発明は、請求項１に記載の引戸ガイド装置において、たとえば以下に示す図示実施の形態のとおり、前記突起ガイド部５０には、前記走行溝２０の両端溝部２０ａにおいて、向い合う対向溝縁が前記中間溝部２０ｂに向かうに従い次第に溝幅が狭まるように斜めになった傾斜ガイド５２を設け、前記突起誘導部５５には、前記両端溝部２０ａの対向溝縁に溝幅方向外向きに鍔状に延びるフランジ５５を設けてなることを特徴とする。